(57)【要約】    【課題】  外部の電源部に接続する手段の作業性を改善し、かつ外郭部材内部の省スペース化を図ることが可能なファンモータを提供する。    【解決手段】  モータ駆動回路を構成するプリント基板に、ＦＦＣ20の一端を接続する。ＦＦＣ20は、断面矩形の銅箔等の導体21を一定間隔に並べ、上下をプラスチックフィルム等の軟性絶縁体22で挟み、軟性絶縁体22の接合面を熱溶着、または接着剤等により接着して構成される。これにより、従来の電線（ＰＶＣ）に比較して非常に薄く、自在性に優れた接続を可能とし、また特に接続数が３回路以上になると、その効果が顕著となり、外郭部材１の厚みを10ｍｍ以下とした場合でも、外郭部材１内に無理なく収納できる。【選択図】  図１
2005299412.tif 000002
【特許請求の範囲】
【請求項１】
送風部に回転力を与える駆動部と、制御部を電源部に接続する手段とを備えたファンモータにおいて、前記手段は複数回路を有するフラットケーブルであり、外郭部材の厚みを所定値以下としたことを特徴とするファンモータ。
【請求項２】
前記制御部の一部を鉄部材により構成したことを特徴とする請求項１記載のファンモータ。
【請求項３】
送風部に回転力を与える駆動部を備えたファンモータにおいて、前記駆動部を構成する制御部と固定子とを接続するための導電部を、回転軸に対して所定方向に配置し、外郭部材の厚みを所定値以下としたことを特徴とするファンモータ。
【請求項４】
送風部に回転力を与える駆動部を備えたファンモータにおいて、前記駆動部を構成する制御部の一部を鉄部材により構成し、この鉄部材を外郭部材の一部としたことを特徴とするファンモータ。
【発明の詳細な説明】
【技術分野】
【０００１】
本発明は、送風部に回転力を与える駆動部を外郭部材内に収容したファンモータに関する。
【背景技術】
【０００２】
一般に、この種のファンモータは、パーソナルコンピュータ内部のＭＰＵ（マイクロプロセッサユニット）や、液晶プロジェクターに搭載される液晶パネル等の、各種発熱源の冷却用送風ファンとして広く使用されている。
【０００３】
図10および図11は、こうしたファンモータの一例を示す要部断面図であるが、１は扁平状をなすファンモータの外郭部材で、これはいずれも熱伝導性のよい金属からなり、後述するファン10の周囲に空洞状のベルマウスを形成するケース２と、このケース２の上面開口を覆うカバー３とにより構成される。また４は、ケース２に加締めまたはインサート成形にて直立固定された有底円筒状の筒部すなわちスリーブで、このスリーブ４の内部には、円筒状の軸受５が挿入される。
【０００４】
スリーブ４の外周部には、巻線を装着した成層鉄心を有する固定子６と、この固定子６の巻線に所定のタイミングで電流を供給するために、一乃至複数の回路部品（図示せず）をプリント基板７に実装してなるモータの制御部としてのモータ駆動回路８がいずれも取付け固定される。なお、19は固定子６の巻線とプリント基板７との電気的接続を図る導電ピンである。プリント基板７には、接続手段である電線18（図10参照）の一端が半田付け等により接続されている。そして、電線18の他端に圧着されたコネクタ18Ａに制御回路などを含む外部の電源部（図示せず）を接続することにより、前記モータ駆動回路８への電源を供給したり、後述するモータ15の回転状態やロック状態等を知らせる制御信号を、外部電源側に送り出すようにしている。
【０００５】
一方、固定子６からの磁力により回転するカップ状のロータ９は、ロータケースとしての金属製のヨーク９Ａと、このヨーク９Ａの外周面に設けられる樹脂製のヨークカバー９Ｂとにより構成され、ロータ９の外周側面をなすヨークカバー９Ｂに複数枚の羽根すなわちファンブレード12を一体的に形成したファン10が、外郭部材１の内部に設けられる。また、前記軸受５によりスリーブ４内で回動自在に支承される回転軸としてのシャフト11がファン10の中心に取付け固定される。ヨーク９Ａの内周面には、固定子６に対向して永久磁石14が配置され、前記固定子６と、マグネットである永久磁石14を装着したロータ９と、駆動回路であるモータ駆動回路８とにより、例えばＤＣブラシレス二相型の駆動部であるモータ15が構成される。
【０００６】
そして、固定子６に電流を与えることにより、この固定子６に対向する永久磁石14との間に吸引力および反発力を生じ、シャフト10を中心としてロータ９が回転する。これにより、発熱源で温められた空気をシャフト10の軸方向にあって、外郭部材１の一側および他側にそれぞれ設けられた吸気孔16Ａ，16Ｂから取り込み、この吸気孔16Ａ，16Ｂと直交する方向に設けられた排気孔17から外部に温かな空気を送り出すことで、発熱源の温度上昇を防ぐようにしている。
【０００７】
ところで、従来のファンモータにおける第一の問題点として、モータ駆動回路８を外部電源に接続するには、図10に示すように例えば塩化ビニル等で被覆した接続手段としての電線（ＰＶＣ）18が使用されるため、各電線18がバラバラになりやすく、また断面形状が円形であるため、電線18全体の厚みが大きくなるという点が挙げられる。これはパーソナルコンピュータ等の薄型、高密度実装の機器に組み込む場合に、外郭部材１の内部に大きな収納スペースを必要とする。さらに、電線18は外郭部材１内部のプリント基板７に１本ずつ接続されるため、組立時の作業性が悪いという問題を抱えていた。
【０００８】
第二の問題点として、従来のファンモータでは、コア成形部である固定子６とプリント基板７との接続に際し、プリント基板７の実装面（上面）に対して、固定子６の巻線に接続した導電ピン19が略垂直に取付けられるため、この導電ピン19の高さ分を考慮して外郭部材１を厚くせざるを得ず、薄型化に限界があった。また、モータ15の部品組み付け時において、プリント基板７に設けたスルーホール（図示せず）にプリント基板７の実装面側から導電ピン19を挿入した後、反対側にあるプリント基板７の半田面を半田付けするため、実装面側と半田面側からの作業となって作業性が悪いという問題があった。さらに、プリント基板７に回路部品を実装する場合、フロー半田付けが一般的な方法であるが、このようなスルーホールを設けたプリント基板７をフロー半田付けする場合には、予めスルーホールにマスキング処理をする必要があるため、プリント基板７に回路部品を実装する際においても作業性が悪いという問題があった。
【０００９】
第三の問題点として、プリント基板７が外郭部材１内に格納される構造となっているため、該外郭部材１にはプリント基板７とプリント基板７に実装された回路部品の高さ分の厚みが必要となり、薄型化を困難にしているという点が挙げられる。またプリント基板７は例えば紙フェノールやガラスエポキシなどの材料により構成されるが、このような材料のプリント基板は一般的に熱放散性や電磁シールド性が悪いため、プリント基板や回路部品の温度上昇を招いたり、外乱等の影響を受け易いという問題もあった。
【００１０】
上記第一の問題点を解決するために、例えば止め具等により複数本の電線を結束したり、特許文献１に開示されるように、外郭部材の底面側にあって、固定子やハウジング本体を保持する支持脚にリード線案内通路を形成し、このリード線案内通路に複数本の電線を支持収納する方法が知られている。
【００１１】
また、上記第二，第三の問題点を解決するために、例えば特許文献２に開示されるように、固定子を平面から見て片側に偏奇させ、固定子の反対側に形成されたスペースにプリント基板上の回路部品を搭載して、モータ特性を良好な状態に維持しつつ薄型化を図る方法が知られている。
【特許文献１】特開平１０−２８５８６３号公報
【特許文献２】特開平１０−３３６９８６号公報
【発明の開示】
【発明が解決しようとする課題】
【００１２】
上記従来技術において、第一の問題点において、複数本の電線を止め具で結束する解決方法では、束線に伴なう工程が別途発生して作業性が向上せず、しかも電線全体の厚みも改善されるには到っていない。また、引用文献１に示す別な解決方法では、前記リード線案内通路に電線を案内収納しなければならず、同様に作業性の悪化を招く。しかも、リード線案内通路に収納しきれない電線は、やはりバラバラにならないように止め具で結束する必要があり、電線全体ひいてはファンモータとしての厚みも改善されない問題がある。
【００１３】
また、上記第二の問題点における解決方法では、プリント基板に実装された回路部品の厚み分だけ薄型化が可能になるものの、固定子とプリント基板との接続に関しては相変わらず導電ピンを垂直に取付けなければならないために、ファンモータとしての薄型化に限界があり、作業性も何等改善されない。
【００１４】
さらに、上記第三の問題点における解決方法では、プリント基板は外郭部材の内部に格納される構造となっているため、プリント基板を収納するための空間的な設置スペースが必要であり、また熱放散性や電磁シールド性も改善されていないという問題がある。
【００１５】
そこで本発明は上記第一の問題点に鑑み、外部の電源部に接続する手段の作業性を改善し、かつ外郭部材内部の省スペース化を図ることが可能なファンモータを提供することを第一の目的とする。
【００１６】
また本発明は上記第二の問題点に鑑み、固定子とプリント基板との接続に関して作業性を改善し、かつ外郭部材内部の省スペース化を図ることが可能なファンモータを提供することを第二の目的とする。
【００１７】
また本発明は上記第三の問題点に鑑み、制御部を構成する回路基板の設置スペースを不要にして、外郭部材内部の省スペース化を図り、しかも回路基板の熱放散性や電磁シールド性が高いファンモータを提供することを第三の目的とする。
【課題を解決するための手段】
【００１８】
本発明の請求項１におけるファンモータによれば、制御部と電源部とを接続する手段として、導体を軟性絶縁体で覆うことにより構成されるフレキシブルフラットケーブル（以下、ＦＦＣという。）のようなフラットケーブルを使用している。これにより、従来の電線（ＰＶＣ）に比較して非常に薄く、自在性に優れた接続を可能とし、また、前記手段の接続数が複数の例えば３回路（３パターン）以上になるとその効果が顕著となり、外郭部材の厚みを所定値である例えば10ｍｍ以下とした場合でも、外郭部材内に無理なく収納することができる。同時に、接続の手段を結束する必要がないため作業性に優れたファンモータを提供できる。
【００１９】
本発明の請求項２におけるファンモータによれば、制御部を構成する回路基板が鋼板やアルミ板などの板材表面に絶縁層を介して配線パターンを形成した鉄部材からなり、前記制御部の一部をなす鉄部材は熱拡散性が良く電磁シールド性も高いため、実装部品や基板の温度上昇を低減でき、同時に外部からの磁気による影響を駆動部の内部に及ぼすことなく遮断することができる。
【００２０】
本発明の請求項３におけるファンモータによれば、駆動部を構成する制御部と固定子とを接続する導電部を、ファンの回転軸に対して所定方向の例えば直交に配置したことにより、該導電部の長さに依存することなくファンモータを薄型化できるため、外郭部材の厚みを所定値である例えば５ｍｍ以下とすることができる。同時に、前記制御部に導電部を接続するためのスルーホールを設ける必要がないため、作業性に優れたファンモータを提供できる。
【００２１】
本発明の請求項４におけるファンモータでは、駆動部を構成する制御部の一部を鉄部材により構成し、この鉄部材をファンモータの外郭部材の一部としたことにより、外郭部材の一部を鉄部材として構成でき、制御部を構成する回路基板の格納スペースを外郭部材の内部にわざわざ確保する必要がなく、薄型化が可能となる。同時に、熱拡散性が良く電磁シールド性の高い鉄部材を使用することにより、回路部品や回路基板の温度上昇を低減でき、外部からの磁気による影響を駆動部内部に及ぼすことなく遮断できる。さらに、鉄部材が磁性体としても作用すれば、ファンモータを小型化しても十分な磁力を得ることができる。
【発明の効果】
【００２２】
本発明は、以上説明したようなものであるから、以下に記載されるような効果を奏する。
【００２３】
本発明の請求項１におけるファンモータによれば、制御部と該制御部の電源部をフラットケーブルで接続したことにより、制御部と該制御部の電源部との接続において作業性を高め、ファンモータの薄型化とファンモータ組付け時における省スペース化を図ることが可能になる。
【００２４】
本発明の請求項２におけるファンモータによれば、請求項１の構成に加え、制御部の一部を鉄部材により構成したことにより、請求項１記載のファンモータにおいて熱拡散性及び電磁シールド性を高めることが可能になる。
【００２５】
本発明の請求項３におけるファンモータによれば、駆動部を構成する制御部と固定子を接続するための導電部を駆動部の回転軸に対して所定方向の例えば直交に配置したことにより、ファンモータの薄型化とファンモータ製造時の作業性を高めることが可能になる。
【００２６】
本発明の請求項４におけるファンモータによれば、制御部の一部を鉄部材により構成し、該鉄部材を外郭の一部としたことにより、薄型化が可能となり、熱拡散性及び電磁シールド性を高めることが可能になる。
【発明を実施するための最良の形態】
【００２７】
以下、添付図面を参照しながら、本発明におけるファンモータの好ましい各実施例を、その製造方法と共に説明する。なお、これらの各実施例において、従来例と同一箇所には同一符号を付し、共通する部分の説明は重複するため極力省略する。
【実施例１】
【００２８】
図１〜図４は本発明の第１実施例を示すもので、ここでは図１に示すように、従来例のファンモータにおいてモータ駆動回路８と外部電源との接続手段としてＦＦＣ20を使用したものとなっている。図２は本発明の第１実施例におけるファンモータの要部断面図であり、接続手段としてＦＦＣ20を用いている以外は、従来例で示した図11のファンモータと同一の構成を有している。すなわち、固定子６に電流を与えることにより、この固定子６に対向する永久磁石14との間に吸引力および反発力を生じ、シャフト10を中心としてロータ９が回転する。これにより、発熱源で温められた空気を、外郭部材１の一側および他側にそれぞれ設けられた吸気孔16Ａ，16Ｂから取り込み、この吸気孔16Ａ，16Ｂと直交する方向に設けられた排気孔17から外部に温かな空気を送り出すことで、発熱源の温度上昇を防ぐようにしている。
【００２９】
ＦＦＣ20は、図３及び図４で示すように断面矩形の銅箔等の導体21を一定間隔に並べ、上下をプラスチックフィルム等の軟性絶縁体22で挟み、軟性絶縁体22の接合面を熱溶着または接着剤等により接着することにより構成され、従来の電線18に比較して非常に薄く、自在性に優れる作用がある。本実施例ではＦＦＣ20の接続方法としてコネクタを使用している。これは、プリント基板７と該外部電源にそれぞれ設けたコネクタ（図示せず）にＦＦＣ20の端部を挿入することにより接続を行うものである。もちろんコネクタの他に、半田付け等の方法によりプリント基板７と接続してもよい。
【００３０】
本実施例ではモータ駆動回路８の動作電圧が前記外部電源より供給されるため、モータ駆動回路８と前記外部電源との接続数は最低２回路（ＦＦＣに形成するパターン数は２）必要となる。さらにファン10の回転状態やロック状態等を知らせる制御信号を送り出すことにより前記接続数が３回路以上になった場合、従来の電線18に比較しての効果が顕著に現れることとなる。
【００３１】
また、モータ駆動回路８を外部電源に接続するＦＦＣ20の各導体21は、軟性絶縁体22により一定間隔毎に固定されているためバラバラになることはない。また、ＦＦＣ20の断面形状は非常に薄い矩形となるため外郭部材１の厚みを10ｍｍ以下と薄型化しても、外郭部材１内にＦＦＣ20を無理なく収容することができ、同時にファンモータ組付け時における省スペース化も可能となる。さらに従来のように電線一本一本を個別に接続する必要がないため作業性も向上する。
【００３２】
以上のように、本実施例では、送風部であるファン10に回転力を与える駆動部としてのモータ15と、このモータ15の制御部であるモータ駆動回路８を外部の電源部に接続する手段とを備えたファンモータにおいて、前記接続の手段は複数の好ましくは回路３回路以上を有するフラットケーブルとしてのＦＦＣ20であり、外郭部材１の厚みを所定値である10ｍｍ以下としている。
【００３３】
このように、モータ駆動回路８と外部電源との接続手段として、導体21を軟性絶縁体22で覆うことにより構成されるＦＦＣ20を使用すると、従来の電線（ＰＶＣ）に比較して非常に薄く、自在性に優れた接続を可能とし、また特に接続数が３回路（３パターン）以上になると、その薄型化及び優れた接続性において効果が顕著となり、外郭部材１の厚みを10ｍｍ以下とした場合でも、外郭部材１内に無理なく収納することができる。同時に、接続手段を結束する必要がないため、作業性に優れたファンモータを提供できる。したがって、モータ駆動回路８と外部電源との接続において作業性を高め、ファンモータの薄型化とファンモータ組付け時における省スペース化を図ることが可能になる。
【００３４】
また、本実施例ではモータ駆動回路８を構成する回路基板として、絶縁樹脂を基材としてその表面に銅箔などの配線パターンを設けたプリント基板７を適用しているが、鋼板やアルミ板などの板材表面に絶縁層を介して配線パターンを形成した鉄部材としての鉄基板25（図５〜図７参照）により構成することも可能である。このようにすると、鉄基板25は熱拡散性が良く電磁シールド性も高いため、モータ駆動回路８を構成する実装部品や回路基板の温度上昇を低減でき、同時に外部からの磁気による影響をモータ内部に及ぼすことなく遮断することができる。
【実施例２】
【００３５】
次に、本発明の第２実施例を図５に基づき説明する。なお前記図２と同一部分には同一符号を付し、その共通する箇所の説明は重複するため省略する。
【００３６】
図５において、ここでのケース２は上面ではなく下面が開口しており、このケース２の下面を覆うように、モータ駆動回路８を構成する鉄基板25がカバー３として設けられている。鉄基板25は鋼板やアルミ板などの金属部材の表面に絶縁層を介して配線パターンを形成したものであり、その略中央部には有底円筒状の筒部すなわちスリーブ４が取り付け固定される。また、スリーブ４の外周部には、巻線を装着した成層鉄心を有する固定子６と、この固定子６の巻線に所定のタイミングで電流を供給するために、一乃至複数の回路部品（図示せず）を鉄基板25に実装してなるモータ駆動回路８が配設される。なお、図５においては外郭部材１の上下方向の一面（上面）にのみ吸気孔16Ａが設けられているが、第１実施例のように上下方向の両面に吸気孔16Ａ，16Ｂを設けた構成でもよい。
【００３７】
19は、固定子６の巻線と鉄基板25との電気的接続を図る導電部としての導電ピンである。より具体的には、導電ピン19の一端は固定子６の巻線に半田付けにより接続され、一方導電ピン19の他端は鉄基板25の実装面側（上側）に設けられたランドに半田付けにより接続される。もちろん導電ピン19は鉄基板25にソケット等を実装して接続してもよい。23は樹脂等により円筒状に形成された固定子支持部材であり、スリーブ４に取り付け固定される。
【００３８】
固定子支持部材23の上面（固定子６側の面）には、導電ピン19をファン10の回転軸であるシャフト11に対して直交するように支持固定するための導電ピン案内溝24が設けられている。該導電ピン案内溝24の上部開口部（固定子６側）には押さえ爪部23Ａが形成されており、導電ピン19が導電ピン案内溝24に収まり飛び出さないようになっている。こうして、導電ピン19は鉄基板25の上面において垂直ではなく略水平に配置され、それに伴ない外郭部材５の厚みも所定値である例えば５ｍｍ以下とすることができる。
【００３９】
次に、上記構成において、特に導電ピン19を取付ける際の工程を説明する。まず、鉄基板25の上方に加締めまたはインサート成形にてスリーブ４の基端を直立した状態で固定する。次に、鉄基板25の直上において固定子支持部材23をスリーブ４に取付け固定した後、予め巻線に導電ピン19の一端を半田付けにより接続しておいた固定子６をスリーブ４に取り付け、導電ピン19を固定子支持部材23の導電ピン案内溝24に収め固定する。そして、導電ピン19の他端を鉄基板25の上面に形成したランドに半田付けにより接続する。
【００４０】
したがって導電ピン19を鉄基板25に接続する際、導電ピン19の他端が鉄基板25の表面にあるランドに位置していればよく、従来のように固定子６に取り付けた導電ピン19をプリント基板７のスルーホールに挿入するほどの位置決め精度は要求されない。また、導電ピン19を含めた上記の各部品の組み込みは、全て鉄基板25の上面すなわち実装面側から行なえるので作業性が向上する。さらに、鉄基板25と固定子６の電気接続の信頼性を向上するために、鉄基板25の表面にあるランド又は固定子６の巻線と導電ピン19との接続部分の長さを長くしても、外郭部材１の厚みには何等影響を及ぼさず、外郭部材１の厚さを５ｍｍ以下にした薄型のファンモータに無理なく組み込むことができる。
【００４１】
以上のように、本実施例では、ファン10に回転力を与えるモータ15を備えたファンモータにおいて、前記モータ15を構成するモータ駆動回路８と固定子６とを接続するための導電ピン19を、前記ファン10の回転軸であるシャフト11に対して所定方向である例えば直交に配置し、外郭部材１の厚みを所定値である例えば５ｍｍ以下としている。
【００４２】
このようにすると、モータ駆動回路８と固定子６とを接続する導電ピン19の長さが外郭部材１の厚みに影響を及ぼすことがないため、外郭部材１の厚みを５ｍｍ以下と薄型化することが可能である。また、鉄基板25などに導電ピン19を挿入，接続するためのスルーホールを設ける必要がなく、導電ピン19を含めた部品の組み込みは全て実装面側からの作業となるため、ファンモータ製造時の作業性を飛躍的に向上することが可能になる。
【実施例３】
【００４３】
次に、本発明の第３実施例を図６及び図７に基づき説明する。なお前記第１実施例や第２実施例と同一部分には同一符号を付し、その共通する箇所の説明は重複するため省略する。
【００４４】
図７は本発明の第３実施例におけるファンモータの要部断面図であり、１は扁平状をなすファンモータの外郭部材で、ここでも鉄基板25は、ベルマウスを形成したケース２の下面開口を覆うカバー３として設けられる。また、鉄基板25に設けた孔には、加締め又は圧入により有底円筒状のスリーブ４が直立状態に固定され、このスリーブ４の内部に円筒状の軸受５が挿入される。スリーブ４は圧入の他、鉄基板25にランドを設けて半田付けにより固定してもよい。鉄基板25には外郭部材１の外方に位置して、モータ駆動回路８への電源供給口としてコネクタ26（図６参照）が実装されている。なお、図７においても外郭部材１の上下方向の一面（上面）にのみ吸気孔16Ａが設けられているが、第１実施例のように上下方向の両面に吸気孔16Ａ，16Ｂを設けた構成でもよい。
【００４５】
そして本実施例では、コネクタ26を介して固定子６に電流を与えることにより、シャフト10を中心としてロータ９が回転すると共に、モータ駆動回路８を構成する回路部品が発熱する。ここで、回路部品は外郭部材の一部をなす鉄基板25に実装されているので、回路部品からの熱は鉄基板25の板材全体に速やかに伝達し、そこから外郭部材１の外部へと効率よく放散する。そのため、モータ駆動回路８を構成する回路基板や回路部品の温度上昇を低減できる。
【００４６】
また、鉄基板25が電磁遮蔽部材として作用するので、モータ15への磁気による悪影響も効果的に遮断できるとともに、鉄基板25は磁性体としての効果もあり、ファンモータを小型化しても十分な磁力が得られる。
【００４７】
以上のように本実施例では、ファン10に回転力を与えるモータ15を備えたファンモータにおいて、前記モータ15を構成するモータ駆動回路８の一部を鉄基板25の鉄部材（金属部材）により構成し、この鉄部材を外郭部材１の一部としている。
【００４８】
このようにすると、外郭部材１の一部を鉄部材である鉄基板25として構成でき、外郭部材１内部にモータ駆動回路８を実装した回路基板の格納スペースをわざわざ確保する必要がないため、ファンモータの薄型化が図れる。また、熱拡散性が良く電磁シールド性の高い鉄基板25を使用することにより、回路部品や回路基板の温度上昇を低減でき、外部からの磁気による影響をモータ内部に及ぼすことなく遮断できる。さらに、磁性体としての効果が得られる鉄基板25を使用すれば、ファンモータを小型化しても十分な磁力を得ることができる。
【実施例４】
【００４９】
次に、本発明の第４実施例を図８及び図９に基づき説明する。なお前記実施例と同一部分には同一符号を付し、その共通する箇所の説明は重複するため省略する。
【００５０】
本実施例におけるファンモータは遠心ファンの一種であるシロッコファンモータの構造を有している。具体的には、カップ状のロータ９は、ロータケースとしての金属製のヨーク９Ａと、このヨーク９Ａの外周面に設けられる樹脂製のヨークカバー９Ｂとにより構成される。また、複数枚の羽根すなわちファンブレード12は、ヨークカバー９Ｂの外側円周上に設けられ、各ファンブレード12を等間隔に配置するリング状のブレード保持体28と、ヨークカバー９Ｂは、複数のリブ27により接続される。これらのブレード保持体28を含むファンブレード12と、ヨークカバー９Ｂと、リブ27は樹脂で一体に成形され、送風用のファン10を構成している。また、シャフト11を中心に同心状に配置されるヨークカバー９Ｂとブレード保持体28との間には、ファン10の底面（下面）側からファンブレード12に空気を取り入れるための孔29が設けられ、これによりファン10の上面部のみでなく、ファン10の下面部からもファンブレード12に空気を取り込むことが可能となる。
【００５１】
リブ27はロータ９下部面にではなく、中間部若しくは上部面から放射状に形成されていてもよく、樹脂の他、金属で構成されたものでもよい。また実施例では４本のリブ27を示したが、本数は特に限定されず、リブ27を幅狭にするほどファン10の軽量化を図ることができる。
【００５２】
本実施例では、固定子６に電流を与えることにより、この固定子６に対向する永久磁石14との間に吸引力および反発力を生じ、シャフト11を中心としてロータ９が回転する。このとき、外郭部材１の一側に設けられた吸気孔16Ａを通して、ファン10の上面側から対向するファンブレード12に温かな空気が取り込まれると共に、ファン10に孔29が設けられている関係で、外郭部材１の他側に設けられた別の吸気孔16Ｂを通して、ファン10の下面側からファンブレード12に温かな空気が取り込まれる。これにより、従来のようなファン10の上面側だけから吸気を行なうものよりも、低騒音で高風量なシロッコファンモータを提供できる。そして、ファンブレード12を通過する空気は、吸気孔16Ａ、16Ｂと直交する方向に設けられた排気孔（図示せず）から外部に送り出され、発熱源の温度上昇が防止される。
【００５３】
以上のように本実施例では、シロッコファンモータ等の遠心ファンモータの構造において、ロータ９の外周上に配置され、遠心方向に風を送り出すファンブレード12と、ファンブレード12の中心部にあるロータ９とを複数のリブ27により接続し、ファンブレード12とロータ９との間に空気を取込むための孔29を形成している。
【００５４】
このようにすると、ファンブレード12に対向する側だけでなく、ファンブレード12が直接対向しない側からも空気を取り込んで送風することが可能になり、シロッコファンモータとしての高風量化が実現される。また、ファン10の片側ではなく両側から空気が取り込まれるため、この取り込まれた空気とファン10との衝突が減少して低騒音化が可能となる。また、ファンブレード12とロータ９との間には部分的に孔29が形成されるため、高風量化及び低騒音化と相俟って付随的にファン10の軽量化も可能となる。
【００５５】
なお、本発明は、上記実施例に限定されるものではなく、本発明の趣旨を逸脱しない範囲で変更可能である。例えば永久磁石をヨークに取り付ける方法は接着に限らず、加締めや圧入等の方法でもよい。
【図面の簡単な説明】
【００５６】
【図１】本発明の第１実施例におけるファンモータの平面図である。
【図２】同上、ファンモータの要部断面図である。
【図３】同上、フレキシブルフラットケーブルの平面図である。
【図４】同上、フレキシブルフラットケーブルの断面図である。
【図５】本発明の第２実施例におけるファンモータの要部断面図である。
【図６】本発明の第３実施例におけるファンモータの平面図である。
【図７】同上、ファンモータの要部断面図である。
【図８】本発明の第４実施例におけるシロッコファンの構造図で、（ａ）は底面図、（ｂ）は側面図、（ｃ）は平面図である。
【図９】同上、ファンモータの要部断面図である。
【図１０】従来例におけるファンモータの平面図である。
【図１１】同上、ファンモータの要部断面図である。
【符号の説明】
【００５７】
１  外郭部材
６  固定子
８  モータ駆動回路（制御部）
10  ファン（送風部）
11  シャフト（回転軸）
15  モータ（駆動部）
19  導電ピン（導電部）
20  フレキシブルフラットケーブル（フラットケーブル）
25  鉄基板（鉄部材）
【図１】
2005299412.tif 000003
【図２】
2005299412.tif 000004
【図３】
2005299412.tif 000005
【図４】
2005299412.tif 000006
【図５】
2005299412.tif 000007
【図６】
2005299412.tif 000008
【図７】
2005299412.tif 000009
【図８】
2005299412.tif 000010
【図９】
2005299412.tif 000011
【図１０】
2005299412.tif 000012
【図１１】
2005299412.tif 000013